(57)【特許請求の範囲】
【請求項１】
販売機本体およびドアのいずれか一方に取り付けたロッドを進退させ、その係止部を他方に取り付けたロッド受けに係止、および係止解除して、ドアを販売機本体にロック・アンロックする自動販売機のドアロック装置において、
前記ロッドを係止方向に付勢する付勢手段と、
当該付勢手段に抗して、前記ロッドの係止方向への移動を阻止する移動阻止部材と、
前記販売機本体側へ付勢され、前記ドアの開閉に連動して前記販売機本体側へ倒れ込む傾動位置と鉛直方向に向く定常位置との間を回動することによって、前記ロッドの係止部を揺動させる連動部材と、を備え、
前記連動部材は、前記ドアの開放に連動して前記傾動位置へ回動することによって、前記ロッド受けから係止解除される前記ロッドの係止部を前記移動阻止部材に相対的に臨ませ、前記ドアの閉塞に連動して前記定常位置へ回動することによって、前記ロッドの係止部を前記移動阻止部材から相対的に逃がして前記ロッド受けに係止させる、ことを特徴とする自動販売機のドアロック装置。
【発明の詳細な説明】
【０００１】
【産業上の利用分野】
本発明は、主として、販売機本体にメインドアをロックするための自動販売機のドアロック装置に関するものである。
【０００２】
【従来の技術】
従来、この種のドアロック装置として、例えば実開平２−１２８７６５号公報に記載のものが知られている。このドアロック装置は、販売機本体に固定した上下一対のロッド受けに対し、メインドアに、上下方向に進退自在に取り付けた上下一対の係止ロッドの先端部を、それぞれ係止および係止解除して、メインドアを販売機本体にロックおよびロック解除できるようになっている。両係止ロッドの基端部は、相互に１８０度点対称に位置した状態で、回転プレートにそれぞれ回動自在に取り付けられており、回転プレートの回転中心には、メインドアに固定したシリンダ錠のシリンダが固定されている。すなわち、シリンダ錠のキー操作で、回転プレートを正逆回転させることにより、ロッドを上下方向に進退させ、ロックおよびロック解除が行われる。
【０００３】
【発明が解決しようとする課題】
【０００４】
このような従来のドアロック装置では、ロックを解除してドアを開放する場合に加え、ドアを閉塞してロックを行う場合にも、シリンダ錠のキー操作が必要となるため、ドアの開閉に伴うロック・アンロック操作が煩雑なものとなっていた。特に、開放する場合と異なりドアを閉塞する場合には、ドアを販売機本体に強く押し当てておいて、キー操作（ロック操作）を行う必要があり、ロック操作が面倒であった。
【０００５】
本発明は、このような問題点に鑑みてなされたものであり、販売機本体に対するドアのロックを、ドアの閉塞に連動し自動的に行うことができる自動販売機のドアロック装置を提供することをその目的としている。
【０００６】
【課題を解決するための手段】
上記目的を達成すべく本発明は、販売機本体およびドアのいずれか一方に取り付けたロッドを進退させ、その係止部を他方に取り付けたロッド受けに係止、および係止解除して、ドアを販売機本体にロック・アンロックする自動販売機のドアロック装置において、前記ロッドを係止方向に付勢する付勢手段と、当該付勢手段に抗して、前記ロッドの係止方向への移動を阻止する移動阻止部材と、前記販売機本体側へ付勢され、前記ドアの開閉に連動して前記販売機本体側へ倒れ込む傾動位置と鉛直方向に向く定常位置との間を回動することによって、前記ロッドの係止部を揺動させる連動部材と、を備え、前記連動部材は、前記ドアの開放に連動して前記傾動位置へ回動することによって、前記ロッド受けから係止解除される前記ロッドの係止部を前記移動阻止部材に相対的に臨ませ、前記ドアの閉塞に連動して前記定常位置へ回動することによって、前記ロッドの係止部を前記移動阻止部材から相対的に逃がして前記ロッド受けに係止させる、ことを特徴とする。
【０００７】
【作用】
請求項１のドアロック装置によれば、ロッド受けに対しロッドを進退させてドアを開放すると、この開放に連動して連動部材が、ロッドの係止部を阻止部材に相対的に臨ませる。すると、付勢手段に抗して、ロッドの係止方向への移動が阻止され、ロッドのロッド受に対する係止解除状態が維持される。この状態からドアを閉塞すると、これに連動して連動部材が、ロッドの係止部を阻止部材から相対的に逃がす。すると、付勢手段により、ロッドが係止方向に付勢され、ロッド受に係止される。
【０００８】
【実施例】
以下、添付図面を参照して、本発明の一実施例に係る自動販売機のドアロック装置について説明する。このドアロック装置は、自動販売機の販売機本体に、メインドアを閉塞ロックするものであり、図１は自動販売機の閉扉状態の斜視図であり、図２はその開扉状態の斜視図である。両図に示すように、ドアロック装置１は、販売機本体Ａに取り付けたロック受け金具２と、メインドアＢに取り付けられ、ロック受け金具２に係止されるロック金具３と、メインドアＢを閉塞したときに、ロック金具３をロック受け金具２に自動的に係止させる連動機構４とで構成されている。
【０００９】
ロック金具３は、メインドアＢの閉塞動作に伴い、連動機構４により、ロック受け金具２に係止される一方、メインドアＢの前面に取り付けたシリンダ錠５のキー６操作により、ロック受け金具２から係止解除される。これにより、販売機本体Ａに対するメインドアＢのロック・アンロックが行われる。
【００１０】
ロック受け金具２は、販売機本体Ａの上端部に取り付けた上受け金具（ロッド受け）１１と、下端部に取り付けた下受け金具１２とで構成されており、それぞれ全く同一の平板形状に形成されている。上受け金具１１および下受け金具１２は、前部に係止孔１３，１４をそれぞれ有し、水平姿勢で、販売機本体Ａのフレーム（図示省略）にそれぞれ強固に固定されている。
【００１１】
ロック金具３は、シリンダ錠５に連結した回転円板２１と、上受け金具１１に係止する上係止ロッド２２と、下受け金具１２に係止する下係止ロッド２３とで、構成されている。回転円板２１は、その中心を、シリンダ錠５のシリンダ５ａの先端にねじ止めされ、シリンダ錠５のキー６操作で正逆回転される。上係止ロッド２２および下係止ロッド２３の基部は、１８０度点対称に位置した状態で、回転円板２１の裏面にそれぞれ回動自在に取り付けられている。また、上係止ロッド２２の先端部（係止部）２２ａは、後述する連動機構４のガイド部３２ｃに案内され、また下係止ロッド２３の先端部２３ａは、メインドアＢに固定した下ガイド部材７に案内され、それぞれ上下方向に進退する。すなわち、上係止ロッド２２および下係止ロッド２３は、キー６操作により、回転円板２１を介して同時に進退し、それぞれの先端部２２ａ，２３ａで上受け金具１１および下受け金具１２の係止孔１３，１４に、それぞれ挿通するようにして係止および係止解除される。
【００１２】
連動機構は４、下係止ロッド２３に取り付けた第１コイルばね（付勢手段）３１と、メインドアＢの開閉に連動して回動する連動部材３２と、連動部材３２を販売機本体Ａ側へ回動付勢する第２コイルばね３３と、上係止ロッド２２の係止方向への移動（前進）を阻止する移動阻止プレート（移動阻止部材）３４とで構成されている。第１コイルばね３１は、上端を下係止ロッド２３に、下端をメインドアＢにそれぞれ掛け止めされ、下係止ロッド２３を係止方向に付勢すると共に、回転円板２１を介して上係止ロッド２２も、同時に係止方向に付勢している。
【００１３】
連動部材３２は、「Ｌ」字状に形成された部材本体３２ａと、部材本体３２ａの上部から移動阻止プレート３４を越えて上方に延びる回動片部３２ｂと、部材本体３２ａの上端に折曲げ形成したガイド部３２ｃとで、一体に形成されている。連動部材３２は、支軸３５により、部材本体３２ａの中間位置で、メインドアＢに前後方向回動自在に取り付けられており、かつメインドアＢとの間に掛け渡した第２コイルばね３３により、販売機本体Ａ側（後方）へ回動するように付勢されている。この場合、連動部材３２のガイド部３２ｃには、上係止ロッド２２の先端部２２ａが挿通しており、連動部材３２の回動に伴い、上係止ロッド２２の先端部２２ａが、わずかに揺動されるようになっている。また、部材本体３２ａの下部には、長孔３６が形成され、この長孔３６に、メインドアＢの固定したストッパピン３７が係合し、連動部材３２は、鉛直方向に向く定常位置と、販売機本体Ａ側へ倒れ込む傾動位置との間で、その回動を一定の範囲に規制されている。
【００１４】
この定常位置および傾動位置は、メインドアＢを開閉した状態に対応しており、メインドアＢを閉塞した状態では、上受け金具１１の先端に回動片部３２ｂが当接し、第２コイルばね３３に抗して、連動部材３２は定常位置に回動され、開放した状態では、回動片部３２ｂが上受け金具１１から離れ、第２コイルばね３３により、連動部材３２は傾動位置に回動される。
【００１５】
一方、移動阻止プレート３４は、「Ｌ」字形状の鋼板で構成され、その短片３４ａが連動部材３２側に突出するように、メインドアＢの内側に水平に固定されている。移動阻止プレート３４の短片３４ａは、メインドアＢを閉塞した状態で、上受け金具１１の下側に重なるように配設されている。この場合、連動部材が傾動位置に回動していると、連動部材３２のガイド部３２ｃに挿通している上係止ロッド２２の先端部２２ａは、短片３４ａの下側に潜り込むようにしてこれに当接し、係止方向への移動が阻止され、また定常位置に回動していると、短片３４ａから外れ、係止方向への移動が許容される。
【００１６】
ここで、図３および図４を参照して、本実施例のドアロック装置１のロック（施錠）およびロック解除（開錠）動作を、メインドアＢの開閉動作と共に説明する。販売機本体Ａに対しメインドアＢを閉塞した状態では、上受け金具１１に連動部材３２の回動片部３２ｂが当接し、連動部材３２は、第２コイルばね３３に抗して、定常位置に回動している。この状態では、上下両係止ロッド２２，２３は、移動阻止プレート３４から外れており、第１コイルばね３１により、係止方向に付勢され、上受け金具１１および下受け金具１２にそれぞれ係止されている。すなわちメインドアＢが販売機本体Ａにロックされている（図３参照）。
【００１７】
この状態から、ロックを解除してメインドアＢを開放する場合には、シリンダ錠５にキー６を差し込んみ、第１コイルばね３１に抗して、キー６を回転操作する。すると、回転円板２１を介して、上下両係止ロッド２２，２３の先端部が、上受け金具１１の係止孔１３および下受け金具１２の係止孔１４から引き抜かれる。その際、上係止ロッド２２の先端が、移動阻止プレート３４の下まで後退すると、上係止ロッド２２は支えを失い、第２コイルばね３３により、移動阻止プレート３４の下側に潜り込むようにして、回動される。また同時に、連動部材３２は傾動位置に回動し、この回動により、回動片部３２ｂが上受け金具１１を蹴るように作用し、その反力で、メインドアＢは販売機本体Ａから軽く蹴り出される。一方、傾動位置に回動した連動部材３２により、上係止ロッド２２の先端は、移動阻止プレート３４の下側に突き当たり、その係止方向への移動が阻止され、同時に、回転円板２１を介して、下係止ロッド２３もその係止方向への移動が阻止される（図４参照）。
【００１８】
また逆に、このロック解除状態からメインドアＢを閉じてゆくと、上受け金具１１の先端に、傾動位置にある連動部材３２の回動片部３２ｂが当接し、回動片部３２ｂが相対的に押される。これにより、連動部材３２が定常位置に向かって回動する。すると、移動阻止プレート３４の下側に突き当っていた上係止ロッド２２の先端部２２ａが、移動阻止プレート３４から外れ、上係止ロッド２２は、第１コイルばね３１により、係止方向に移動する。また同時に、下係止ロッド２３も係止方向に移動し、上下両係止ロッド２２，２３の先端部２２ａ，２３ａが、それぞれ上受け金具１１および下受け金具１２に、瞬間的に係止される。すなわち、上記のロック状態に戻る（図３参照）。
【００１９】
以上のように本実施例のドアロック装置１によれば、メインドアＢを閉塞することにより、メインドアＢが販売機本体Ａに自動的にロックされるので、キー６操作を行うことなく、単にメインドアＢを閉塞するだけで、メインドアＢの閉塞ロックを行うことができる。しかも、メインドアＢを閉塞する動作では、メインドアＢに慣性モーメントが働くため、メインドアＢを販売機本体Ａに強く押し付けるなどの、行為も不要となり、全体としてメインドアＢの開閉操作を容易なものとすることができる。
【００２０】
なお、本実施例では、メインドアに固定されている移動阻止プレートに対し、上係止ロッドの先端を回動部材により、揺動させて突き当てるようにしているが、連動部材により水平方向に進退される移動阻止部材を用い、これを上係止ロッドの先端を臨ませ、あるいは上係止ロッドに形成した掛止部などに臨ませる構造であってもよい。また、係止ロッドの係止部位は、ロッドの先端部でなくとも別途設けた係止部であればよい。さらに、ロック金具およびシリンダ錠を販売機本体に取り付け、ロック受け金具をメインドアに取り付けるようにしてもよい。
【００２１】
【発明の効果】
以上のように本発明のドアロック装置によれば、連動部材により、阻止部材に臨ませたロッドの係止部を、ドアの閉塞に連動して外すようにしているので、ドアの閉塞に伴って、係止ロッドをロッド受けに自動的に係止することができ、すなわち、ドアを販売機本体を自動的に閉塞ロックすることができる。したがって、ドアを閉塞ロックする際に、キー操作などが不要になり、ドアの開閉の煩雑さを回避することができる。
【図面の簡単な説明】
【図１】本発明の一実施例に係るドアロック装置を備えた自動販売機の開扉状態の斜視図である。
【図２】実施例に係るドアロック装置を備えた自動販売機の閉扉状態の斜視図である。
【図３】自動販売機の開扉状態の部分裁断側面図である。
【図４】自動販売機の閉扉状態の部分裁断側面図である。
【符号の説明】
１  ドアロック装置
１１  上受け金具
２２  上係止ロッド
２２ａ  先端部
３１  第１コイルばね
３２  連動部材
３４  移動阻止プレート
Ａ  販売機本体
Ｂ  メインドア
【図１】
0003569960.tif 000002
【図２】
0003569960.tif 000003
【図３】
0003569960.tif 000004
【図４】
0003569960.tif 000005